(57)【要約】【課題】  時計の外観を損なうことなく、簡単な構造で、しかも水圧または大気圧を確実に測定するセンサ付き時計を得る。【解決手段】  センサ付き時計１は、時計の裏蓋１０に固定されたセンサ収納筒１３と、センサ収納筒１３内に収納されたセンサ１２と、センサ１２をセンサ収納筒１３に固定するセンサ蓋１５と、かつセンサ蓋１５に設けられた水や空気を流入させる開口１５ｃを有する。センサ収納筒１３内にはセンサ１２が収納される。センサ１２は、センサ収納筒１３にセンサ蓋１５によって固定される。センサ蓋１５に設けられた開口１５ｃが、水や空気を流入させる。これにより、センサ付き時計は通常の外観を維持し、簡単な構造で、水圧や大気圧が確実に測定される。【選択図】      図１
2004264310.tif 000002
【特許請求の範囲】
【請求項１】
裏蓋に圧力センサを配置した腕時計であって、
裏蓋に形成された凹部と凸部と、
凹部に配置された圧力センサと、
圧力センサを覆うセンサカバーと、
センサカバーと裏蓋の凹部との間に設けられる空隙と、
を備え、
腕時計が腕に装着された状態において、裏蓋の凹部と、センサカバーと裏蓋の凹部との間の空隙を通って、腕時計周辺の圧力が圧力センサに伝わる圧力センサ付き腕時計。
【請求項２】
裏蓋に圧力センサを配置した腕時計であって、
圧力センサを覆うセンサ蓋と、
センサ蓋に設けられた連通溝と、
この連通溝に設けられた開口と、を備え、
腕時計が腕に装着された状態において、連通溝と、この連通溝の開口とを通って、腕時計周辺の圧力が圧力センサに伝わる圧力センサ付き腕時計。
【請求項３】
裏蓋に圧力センサを配置した腕時計であって、
圧力センサを収納する収納筒と、
収納筒の外周に、側方に開口して形成される開口溝と、
圧力センサを覆う、基部と環状周縁部とより成るセンサ蓋と、
センサ蓋の環状周縁部に、収納筒の開口溝に対応して形成される連通溝と、
を備え、
腕時計が腕に装着された状態において、センサ蓋の連通溝と、収納筒の開口溝とを通って、腕時計周辺の圧力が圧力センサに伝わる圧力センサ付き腕時計。
【請求項４】
裏蓋に圧力センサを配置した腕時計であって、
圧力センサを覆うセンサ蓋と、
センサ蓋の基部に側方に開放して形成された複数の開口部と、
を備え、
腕時計が腕に装着された状態において、センサ蓋の開口部を通って、腕時計周辺の圧力が圧力センサに伝わる圧力センサ付き腕時計。
【請求項５】
請求項１から４のいずれかに記載の圧力センサ付き腕時計であって、
裏蓋の裏面が、圧力センサが配置される第１の凹部と、センサを外部に連通する複数の第２の凹部と、を備え、
第１の凹部から放射状に第２の凹部が伸びる圧力センサ付き腕時計。
【請求項６】
請求項１に記載の圧力センサ付き腕時計であって、
センサカバーの下面と凸部の表面とが同一平面を成す圧力センサ付き腕時計。
【請求項７】
請求項２に記載の圧力センサ付き腕時計であって、
センサ蓋に設けられた連通溝が放射状に設けられる圧力センサ付き腕時計。
【請求項８】
請求項７に記載の圧力センサ付き腕時計であって、
センサ蓋に設けられた連通溝が、センサ蓋の外周の溝に達する圧力センサ付き腕時計。
【請求項９】
請求項１から８のいずれかに記載の圧力センサ付き腕時計であって、
時計ケ−スの裏蓋に形成された第１の凹部に設けられたセンサ収納筒と、
このセンサ収納筒内に収納されたセンサと、
センサを収納筒に固定する固定部材と、
を備える圧力センサ付き腕時計。
【請求項１０】
請求項９に記載の圧力センサ付き腕時計であって、
センサ収納筒は裏蓋と一体に形成された圧力センサ付き腕時計。
【請求項１１】
請求項９に記載の圧力センサ付き腕時計であって、
固定部材は、裏蓋内において裏蓋に固定された押さえ板である圧力センサ付き腕時計。
【請求項１２】
請求項９に記載の圧力センサ付き腕時計であって、
固定部材は、開口を有しセンサ収納筒に固定されたセンサ蓋である圧力センサ付き腕時計。
【請求項１３】
請求項９に記載の圧力センサ付き腕時計であって、
センサを時計内部の構成部材に対し位置決めする手段を設けた圧力センサ付き腕時計。
【請求項１４】
請求項１から１３のいずれかに記載の圧力センサ付き腕時計であって、裏蓋の裏面にセンサを外部に連通する複数の第２の凹部を形成した圧力センサ付き腕時計。
【請求項１５】
請求項９に記載の圧力センサ付き腕時計であって、
裏蓋は、時計ケ−スにねじリングによって固定された圧力センサ付き腕時計。
【請求項１６】
請求項９に記載の圧力センサ付き腕時計であって、
センサ収納筒は、開口溝を有する基部と、裏蓋の貫通孔に固定された環状部とを有する圧力センサ付き腕時計。
【請求項１７】
請求項１３に記載の圧力センサ付き腕時計であって、
位置決め手段は、センサより突出する複数のピンと、構成部材に形成されピンが係合する孔である圧力センサ付き腕時計。
【請求項１８】
請求項１５に記載の圧力センサ付き腕時計であって、
ねじリングのねじ部を水密に保つ密封手段を設けた圧力センサ付き腕時計。
【発明の詳細な説明】
【技術分野】
【０００１】
本発明は、圧力、温度等を測定するセンサを備えたセンサ付き時計に関する。
【背景技術】
【０００２】
従来、センサ付き時計においては、センサを時計のケ−ス、例えば胴又はガラスに取付けて外圧や温度を検出するようにしている。即ち、センサは時計のガラスの上面、又は時計ケ−スの上面又は側壁より外方に突出するように取付けられており、外観上好ましくないと思われることがあった。
また、特開昭５６−１９４８０号公報には、センサを時計ケ−スの裏蓋に取付け、センサが外部に露出しないようにして時計の外観を損なわないようにしたセンサ付き時計が記載されている（たとえば、特許文献１参照）。
【０００３】
【特許文献１】特開昭５６−１９４８０号公報
【発明の開示】
【発明が解決しようとする課題】
【０００４】
特開昭５６−１９４８０号公報には、センサを時計ケ−スの裏蓋に取付け、センサが外部に露出しないようにして時計の外観を損なわないようにしたセンサ付き時計が記載されている。このような時計では、センサの測定部が使用者のウエットス−ツや腕によって遮られ、水がセンサまで送られず、水圧の測定が確実にできないことがある。
【０００５】
本発明の目的は、簡単な構造で、しかも水や空気の流通が遮られることがなく、水圧や大気圧を確実に測定することのできるセンサ付き時計を提供しようとするものである。
【課題を解決するための手段】
【０００６】
上記欠点を解決するため、本発明の圧力センサ付き腕時計は、請求項１に記載された通り、
「裏蓋に圧力センサを配置した腕時計であって、
裏蓋に形成された凹部と凸部と、
凹部に配置された圧力センサと、
圧力センサを覆うセンサカバーと、
センサカバーと裏蓋の凹部との間に設けられる空隙と、
を備え、
腕時計が腕に装着された状態において、裏蓋の凹部と、センサカバーと裏蓋の凹部との間の空隙を通って、腕時計周辺の圧力が圧力センサに伝わる」ことを特徴とする。
【０００７】
また、本発明の圧力センサ付き腕時計は、請求項２に記載された通り、
「裏蓋に圧力センサを配置した腕時計であって、
圧力センサを覆うセンサ蓋と、
センサ蓋に設けられた連通溝と、
この連通溝に設けられた開口と、を備え、
腕時計が腕に装着された状態において、連通溝と、この連通溝の開口とを通って、腕時計周辺の圧力が圧力センサに伝わる」ことを特徴とする。
【０００８】
また、本発明の圧力センサ付き腕時計は、請求項３に記載された通り、
「裏蓋に圧力センサを配置した腕時計であって、
圧力センサを収納する収納筒と、
収納筒の外周に、側方に開口して形成される開口溝と、
圧力センサを覆う、基部と環状周縁部とより成るセンサ蓋と、
センサ蓋の環状周縁部に、収納筒の開口溝に対応して形成される連通溝と、
を備え、
腕時計が腕に装着された状態において、センサ蓋の連通溝と、収納筒の開口溝とを通って、腕時計周辺の圧力が圧力センサに伝わる」ことを特徴とする。
【０００９】
また、本発明の圧力センサ付き腕時計は、請求項４に記載された通り、
「裏蓋に圧力センサを配置した腕時計であって、
圧力センサを覆うセンサ蓋と、
センサ蓋の基部に側方に開放して形成された複数の開口部と、
を備え、
腕時計が腕に装着された状態において、センサ蓋の開口部を通って、腕時計周辺の圧力が圧力センサに伝わる」ことを特徴とする。
【００１０】
さらに、本発明の圧力センサ付き腕時計は、上記の特徴に加えて、
「裏蓋の裏面が、圧力センサが配置される第１の凹部と、センサを外部に連通する複数の第２の凹部と、を備え、
第１の凹部から放射状に第２の凹部が伸びる」ものであってもよい。
あるいは、本発明の圧力センサ付き腕時計は、上記の特徴に加えて、
「センサカバーの下面と凸部の表面とが同一平面を成す」ものであってもよい。
あるいは、本発明の圧力センサ付き腕時計は、上記の特徴に加えて、
「センサ蓋に設けられた連通溝が放射状に設けられる」ものであってもよい。
あるいは、本発明の圧力センサ付き腕時計は、上記の特徴に加えて、
「センサ蓋に設けられた連通溝が、センサ蓋の外周の溝に達する」ものであってもよい。
あるいは、本発明の圧力センサ付き腕時計は、上記の特徴に加えて、
「時計ケ−スの裏蓋に形成された第１の凹部に設けられたセンサ収納筒と、
このセンサ収納筒内に収納されたセンサと、
センサを収納筒に固定する固定部材と、を備える」ものであってもよい。
【００１１】
本発明の一実施例では、センサ収納筒は裏蓋と一体に形成されている。
本発明の他の実施例では、裏蓋はねじリングで固定され、そのねじ部を水密に保つ密封手段が設けられている。
【発明の効果】
【００１２】
時計の裏蓋に設けられた収納筒にセンサが収納され、外部に連通する開口を通って水や空気が直接センサ測定部に流入し、圧力等の上方を確実に測定する。
【発明を実施するための最良の形態】
【００１３】
以下、本発明の実施例が説明される。
【実施例１】
【００１４】
本発明の第１の実施例を図を参照して説明する。
図１は第１実施例の圧力センサ付き電子腕時計の断面図、図２は図１に示す時計の裏蓋を外側から見た平面図である。
センサ付き電子腕時計１は時計ケ−ス２を有し、時計ケ−ス２の上面にはガラス３が嵌め込まれており、時計ケ−スの外側面にはリュウズ４が外方に突出して設けられている。ガラス３の下方にはム−ブメント７の上面に固定された文字板５が設けられ、文字板５の上面には時刻、圧力、温度等を表示する表示部が形成されている。またム−ブメント７の
下部には回路基板８が取付けられている。
【００１５】
時計ケ−ス２の裏面には裏蓋１０が取り外し可能に装着されている。裏蓋１０は、フランジ部１０ａにおいて、Ｏリング２ａを介してねじリング２ｂによって時計ケ−ス２に取付けられている。裏蓋１０は図２に示すように圧力センサを取付けるための凹部１０ｃを有し、ここより放射状に凹部１０ｅが伸び、その間に凸部１０ｂが形成されている。
【００１６】
凹部１０ｃの一部に貫通孔１０ｄが形成され、この孔１０ｄに水圧又は大気圧を測定する圧力センサ１２を取り付けるための収納筒１３が挿入され、裏蓋にロ−付けにより固定されている。
【００１７】
圧力センサ１２はその測定部を外方に向け、Ｏリング１４を介在させて収納筒１３内に収納される。センサの測定部は収納筒１３の大径部１３ａより突出し、センサ蓋１５が大径部１３ａに圧入固定され、センサが固定されている。
【００１８】
収納筒１３とセンサ蓋１５によって時計内に収納されたセンサ１２は、回路支持台１８に設けられた孔を通る接続ばね１６によって回路基板８と電気的に接続されている。
【００１９】
センサ蓋１５には外圧を圧力センサ１２に伝えるための開口１５ｃが図２に示すように４個形成されている。センサ蓋１５の凸部１５ｄにセンサカバ−１７が溶接固定されている。センサカバ−１７はセンサ蓋１５全体を平面的に覆おう形状であり、裏蓋１０の凹部１０ｃとの間に空隙１７ｂが形成されている。また、センサカバ−１７とセンサ蓋１５との間には凸部１５ｄを除いて一定以上の空隙１７ａが形成されている。
【００２０】
更に、センサカバ−１７の下面は裏蓋１０の凸部１０ｂの表面と同一平面になるように取付けられており、時計がバンド（図示せず）によって装着された時、時計の裏面が使用者の腕１１に違和感なく当接されるようになっている。
【００２１】
水中での使用に際しては、裏蓋１０の凹部１０ｅ、１０ｃ、センサカバ−１７の空隙１７ｂを通って水がカバ−内に流入し、更にセンサ蓋１５の開口１５ｃを通ってセンサ１２の測定部に確実に送り込まれる。従って、使用者のウエットス−ツや腕によって水が遮られることなく、水圧を確実に測定することができる。
【００２２】
また、大気中での使用に際しては、上記と同様に空気が空隙１７ｂと開口１５ｃとを通ってセンサ１２の測定部に確実に送り込まれる。従って、使用者の腕によって空気が遮られることなく、大気圧を確実に測定することができる。
【実施例２】
【００２３】
図３は本発明の第２実施例における圧力センサ収納部の断面図、図４はその裏蓋の圧力センサ収納部を外側から見た平面図である。
図３及び図４において、図１及び図２における同一構成部分は同一の記号で表示してある。この第２実施例では第１実施例におけるセンサカバ−１７は設けられておらず、センサ蓋２０が直接腕１１に接するようになっている。センサ蓋２０は、第１実施例と同様、収納筒１３に圧入固定されており、図４に示すように、放射状に一段低い連通溝２０ａが形成されており、その溝はセンサ蓋２０の外周壁にも及んで溝２０ｂを形成している。そして各連通溝２０ａのセンサ蓋２０の外周内端には開口２０ｃが設けられている。
【００２４】
第２実施例においても、時計の外周の圧力はセンサ蓋２０の放射状連通溝２０ａと腕１１の表皮との間の溝及び開口２０ｃを通って圧力センサ１２に受圧される。放射状連通溝２０ａはセンサ蓋２０の外周の溝２０ｂにも達しており、しかも放射状に形成されている
ので、腕１１の表皮によって溝２０ａ、２０ｂが閉鎖されることはない。
【実施例３】
【００２５】
図５は本発明の第３実施例を示す断面図で、圧力センサ２５はその裏側に固定された２本のセンサピン２６を有し、収納筒２７の孔より突出している。ム−ブメント２８は、電子回路ブロック３０、回路支持台３１で構成されている。
【００２６】
次に本実施例の特徴である圧力センサ２５と電子回路ブロック３０との電気的接続の位置決めについて説明する。裏蓋１０に固定された収納筒２７に圧力センサ２５を入れ、センサ蓋２０を圧入し固定する。ケ−ス２にム−ブメント２８を入れ、電子回路ブロック３０の上に配置された回路支持台３１の孔３２に接続ばね３３を入れる。更に、センサ２５のセンサピン２６を回路支持台３１の孔３２に入れ、ねじリング２ｂで固定する。
【実施例４】
【００２７】
図６は第４実施例を示す断面図で、回路支持台３１と裏蓋１０の間に中子３４が配置されている。この中子３４は回路支持台３１の位置決め用の孔３５に係合する２個のピン３６を有し、また収納筒２７が挿入される孔３７を有している。
【００２８】
次に第４実施例における圧力センサ２５と電子回路ブロック３０との電気的接続の位置決めについて説明する。ケ−ス２にム−ブメント２８を入れ、電子回路ブロック３０の上に配置された回路支持台３１の孔３２に接続ばね３３を入れ、孔３５に中子３４のピン３６を係合させる。更に、収納筒２７を中子３４の孔３７
に係合させ、裏蓋１０をねじリング２ｂで固定すると、裏蓋１０の内壁が中子３４の数個の半球状突起３４ａに当接し、中子を回路支持台３１との間に保持する。
【００２９】
第３及び第４実施例によれば、センサと電子回路ブロックとの位置決め手段を設けているので、両者の接続が容易且つ確実に行うことができる。
【実施例５】
【００３０】
図７は第５実施例を示す断面図、図８はその要部拡大断面図で、収納筒４０とセンサ蓋４１に特徴があり、他の構造は第１実施例と同じである。
【００３１】
図９に示すように、収納筒４０の外周には大径部４０ａと小径部４０ｂとが形成され、大径部４０ａの外周には１箇所乃至３箇所の開口溝４０ｃが側方に開口して形成されている。小径部４０ｂが裏蓋１０の貫通孔１０ｄに嵌合され、ロ−付け固定されている。
【００３２】
図１０に示すように、センサ蓋４１は基部４１ａと、環状周縁部４１ｂとより成り、環状周縁部４１ｂには複数の連通溝４１ｃが収納筒４０の開口溝４０ｃに対応して形成されている。
【００３３】
センサ蓋４１はその連通溝４１ｃが、収納筒の大径部４０ａの開口溝４０ｃと対向する位置で大径部に圧入固定される。更に、センサ蓋４１の基部４１ａの表面が裏蓋１０の凸部１０ｂの表面と同一平面になるように取付けられている。
【００３４】
水中での使用に際しては、センサ蓋４１の連通溝４１ｃを通って水が蓋内に流入し、更に収納筒４０の開口溝４０ｃを通ってセンサ１２の測定部に確実に送り込まれる。
【実施例６】
【００３５】
図１１は本発明の第６実施例を示す。
収納筒４２は大径部４２ａの外周に形成されたねじ部４２ｅ及び開口溝４２ｃを有する
。センサ蓋４３は基部４３ａに側方に開放して形成された複数の開口部４３ｄと、環状部４３ｂの端部に形成された放射状の連通溝４３ｃと、内周に収納筒のねじ部４２ｅと対応するように形成されたねじ部４３ｅとを有する。他の構造は第５実施例と同じである。
【００３６】
裏蓋１０の貫通孔１０ｄに挿入されロ−付け固定された収納筒４２にセンサ１２が収納され、収納筒のねじ部４２ｅにセンサ蓋４３のねじ部４３ｅを螺合させて蓋４３が収納筒２２に固定される。
【００３７】
本実施例では開口溝４２ｃ、連通溝４３ｃの他に開口部４３ｄが形成されているので、水圧又は体気圧がより確実に送り込まれる。尚、開口部４３ｄは第５実施例のセンサ蓋４１にも形成可能である。
【実施例７】
【００３８】
図１２は本発明の第７実施例を示す。
センサ１２の収納筒４５は、複数の開口部４５ｃを有する基部４５ａと、段部４５ｄを有し、裏蓋１０の貫通孔１０ｄにロ−付け固定される環状部４５ｂと、環状部の上端外周上に形成されたねじ部４５ｅとより成る。
【００３９】
センサ１２を収納筒４５内に固定するために、ねじリング４６が設けられる。ねじリング４６は、内周に収納筒４５のねじ部４５ｅと係合されるねじ部４６ｂが形成された環状部４６ａと、フランジ部４６ｃとより成る。
【００４０】
収納筒４５のねじ部４５ｅは裏蓋の内方に突出しており、ねじリング４６のフランジ部４６ｃとセンサ１２間にＯリング１４が配設され、ねじ部４６ｂをねじ部４５ｅに螺合させて、センサ１２が収納筒４５内に固定される。
【実施例８】
【００４１】
図１３は第８実施例を示す。
収納筒４７は、側方に開放する複数の開口部４７ｃを有する基部４７ａと、裏蓋１０の貫通孔１０ｄにロ−付け固定される環状部４７ｂとより成る。環状部４７ｂには、貫通孔１０ｄの外側面に係合するフランジ部４７ｄが形成されている。
【００４２】
裏蓋１０にロ−付け固定された収納筒４７にセンサ１２が収納され、収納筒の環状部４７ｂの端部は裏蓋１０の内方に突出している。裏蓋１０の内側に環状の押さえ板４８がねじ５０によって取付けられ、センサを固定している。
【００４３】
即ち、押さえ板４８は段差を有しており、図１４に示すように一対の相対する突起部４８ａを有し、収納筒４７及びセンサ１２を覆うように形成され、Ｏリング１４を介して裏蓋１０の内側にねじ５０によって固定される。
【実施例９】
【００４４】
図１５は第９実施例を示す。
本実施例は収納筒が裏蓋と一体になっていること、裏蓋固定用のねじリングのねじ部を水密に保つようにしたことを特徴とするものである。
【００４５】
即ち、図８に示す収納筒４０と同一の形状の収納筒５５が裏蓋１０と一体に形成されており、その収納筒５５内にセンサ１２が収納され、図１６に示すようにセンサ蓋５１をねじ５６により裏蓋１０に固定してセンサ１２が固定される。
【００４６】
一方ねじリング５２は、ねじ部５２ａの下方に外方に延びるフランジ部５２ｂを有し、
ケ−ス２の下面に環状溝５３が形成され、その中にＯリング５４が嵌められ、ねじリング５２に圧着している。
【００４７】
従って、ねじ部５２ａは水密に保持され、その部分がさびるのを防いでいる。
【００４８】
本実施例によれば、収納筒が裏蓋と一体なので、部品数が少なく構造が簡単であり、また裏蓋固定用のねじリングのねじ部が水密に保たれているので、その部分がさびてねじリングが外れなくなるようなことがない。
【００４９】
上記のごとく本発明によれば、センサが時計の裏蓋に取り付けられているので時計は通常の外観を維持することができる。また、開口を通って水又は空気がセンサの測定部に直接送り込まれるので、簡単な構造で、しかも水圧又は大気圧等を確実に測定することができ、水深や高度を高精度で測定することができる。
【図面の簡単な説明】
【００５０】
【図１】本発明の第１実施例で、圧力センサ付き電子腕時計の断面図である。
【図２】図１に示す時計の裏蓋を外側から見た平面図である。
【図３】本発明の第２実施例における圧力センサ収納部の断面図である。
【図４】その裏蓋の圧力センサ収納部を外側から見た平面図である。
【図５】本発明の第３実施例を示す断面図である。
【図６】本発明の第４実施例を示す断面図である。
【図７】本発明の第５実施例を示す断面図である。
【図８】その要部拡大断面図である。
【図９】図７の収納筒の斜視図である。
【図１０】センサ蓋の斜視図である。
【図１１】本発明の第６実施例を示す断面図である。
【図１２】本発明の第７実施例を示す断面図である。
【図１３】本発明の第８実施例を示す断面図である。
【図１４】図１３の押さえ板の平面図である。
【図１５】本発明の第９実施例を示す断面図である。
【図１６】図１５に示すセンサ蓋を外側から見た平面図である。
【符号の説明】
【００５１】
１    時計
２    時計ケ−ス
２ａ  Ｏリング
２ｂ  ねじリング
３    ガラス
４    リュウズ
５    文字板
７    ム−ブメント
８    回路基板
１０    裏蓋
１０ａ  フランジ部
１０ｂ  凸部
１０ｃ  凹部
１０ｄ  貫通孔
１０ｅ  凹部
１１    腕
１２    圧力センサ
１３    収納筒
１３ａ  大径部
１４    Ｏリング
１５    センサ蓋
１５ｃ  開口
１５ｄ  凸部
１６    接続ばね
１７    センサカバ−
１７ａ、１７ｂ  空隙
１８    回路支持台
２０    センサ蓋
２０ａ  連通溝
２０ｂ  溝
２０ｃ  開口
２５    圧力センサ
２６    センサピン
２７    収納筒
２８    ム−ブメント
３０    電子回路ブロック
３１    回路支持台
３２    孔
３３    接続ばね
３４    中子
３４ａ  半球状突起
３５    孔
３６    ピン
３７    孔
４０    収納筒
４０ａ  大径部
４０ｂ  小径部
４０ｃ  開口溝
４１    センサ蓋
４１ａ  基部
４１ｂ  環状周縁部
４１ｃ  連通溝
４２    収納筒
４２ａ  大径部
４２ｃ  開口溝
４２ｅ  ねじ部
４３    センサ蓋
４３ａ  基部
４３ｂ  環状部
４３ｃ  連通溝
４３ｄ  開口部
４３ｅ  ねじ部
４５    収納筒
４５ａ  基部
４５ｂ  環状部
４５ｃ  開口部
４５ｄ  段部
４５ｅ  ねじ部
４６    ねじリング
４６ａ  環状部
４６ｂ  ねじ部
４６ｃ  フランジ部
４７    収納筒
４７ａ  基部
４７ｂ  環状部
４７ｃ  開口部
４７ｄ  フランジ部
４８    押さえ板
４８ａ  突起部
５０    ねじ
５１    センサ蓋
５２    ねじリング
５２ａ  ねじ部
５２ｂ  フランジ部
５３    環状溝
５４    Ｏリング
５５    収納筒
５６    ねじ
【図１】
2004264310.tif 000003
【図２】
2004264310.tif 000004
【図３】
2004264310.tif 000005
【図４】
2004264310.tif 000006
【図５】
2004264310.tif 000007
【図６】
2004264310.tif 000008
【図７】
2004264310.tif 000009
【図８】
2004264310.tif 000010
【図９】
2004264310.tif 000011
【図１０】
2004264310.tif 000012
【図１１】
2004264310.tif 000013
【図１２】
2004264310.tif 000014
【図１３】
2004264310.tif 000015
【図１４】
2004264310.tif 000016
【図１５】
2004264310.tif 000017
【図１６】
2004264310.tif 000018